(57)【要約】【要約書】【課題】  施設がない場所でのスポーツ或はその他の屋外のレジャーを楽しむ時に、車等への載置を容易にし狭い場所を利用して外部から見えないように簡単にルーム状にして目的に合わせて使用することが出来ようにする。【解決手段】  折畳み或はスライド等にて伸縮可能とし接続部に補強パイプ１２を挿嵌補強した支柱１１を、フック穴を穿設し折畳み可能とした円環からなる下枠２と頭部フレーム１０を回動可能に設けた上枠７に挿入又は螺合或は支持にて組合わせてなる枠体１と、防水を施し下枠２の外周の二分の一より僅かに幅を広くした長方形の覆地１９の上部に通気網２０ａにて覆った通気窓２０を設け、長手方向の両側面の異なる側にマジックテープを、又上端数箇所にマジックベルト２２を、更に下端数箇所にマジック付きゴムベルト２３を設けてなる覆材１８と、防水を施し円形中央を凸状とした覆地２５の下端に、マジックテープ２６を数箇所に設けてなる頭部覆材２４と、フック５と、折畳んだ部品を含め全ての収納を可能とした収納バックとの組合せとしたものである。【選択図】        図１
0003103572.tif 000002
【実用新案登録請求の範囲】
【請求項１】
折畳み或はスライド等にて伸縮可能とし接続部に補強パイプを挿嵌補強した支柱を、フック穴を穿設し折畳み可能とした円環からなる下枠と上枠に挿入又は螺合或は支持にて組合わせてなる枠体と、防水を施し下枠の外周の二分の一より僅かに幅を広くした長方形の覆地の上部に通気網にて覆った通気窓を設け、長手方向の両側面の異なる側にマジックテープを、又上端数箇所にマジックベルトを、更に下端数箇所にマジック付きゴムベルトを設けてなる覆材と、フックと、折畳んだ部品を含め全ての収納を可能とした収納バックとの組合せとしたことを特徴とする簡易ルーム。
【請求項２】
上枠に頭部フレームを回動可能に設け、防水を施し円形中央を凸状とした覆地の下端に、マジックテープを数箇所に設けて上枠を覆うようにしてなる頭部覆材との組合せとした請求項１記載の簡易ルーム。
【考案の詳細な説明】
【技術分野】
【０００１】  本考案は、更衣室や排便などの施設のない場所でスポーツや他のレジャーを楽しむ時、常時車等に載置し少ないスペースを利用して簡単に組み立て外部から見えないように設置し、安心して使用することが出来るようにした簡易ルームに関するものである。
【背景技術】
【０００２】  生活水準の向上に伴い、家族で或はグループでスポーツ或はキャンプやサーフィンなどの屋外のレジャーを楽しむようになってきた。
そのための宿泊所や休憩所などの施設が色々と各場所に設置されて便利になりより楽しく過ごすことが出来るようになってきた。
【考案が解決しようとする課題】
【０００３】  このように施設が整ってきているが、必ずしも施設の有る場所だけで楽しむのではなく、時には自分達の気に入った場所で楽しむこともある。
このような場合は施設がないため更衣或は排便等を行なうとする時には外部から見えるためなかなか行なえず、特に女性の場合には尚更で折角楽しんでいても楽しみが半減してしまいスポーツ或はキャンプなどのレジャーを楽しむ上に於いて非常に不都合を感じていた。
【課題を解決するための手段】
【０００４】  本考案はこのような不都合を解消し、常に車等への載置を容易にし狭い場所を利用して外部から見えないように簡単にルーム状にして目的に合わせて使用することが出来る簡易ルームを提供せんとするものである。
折畳み或はスライド等にて伸縮可能とし接続部に補強パイプを挿嵌補強した支柱を、フック穴を穿設し折畳み可能とした円環からなる下枠と頭部フレームを回動可能に設けた上枠に挿入又は螺合或は支持にて組合わせてなる枠体と、防水を施し下枠の外周の二分の一より僅かに幅を広くした長方形の覆地の上部に通気網にて覆った通気窓を設け、長手方向の両側面の異なる側にマジックテープを、又上端数箇所にマジックベルトを、更に下端数箇所にマジック付きゴムベルトを設けてなる覆材と、防水を施し円形中央を凸状とした覆地の下端に、マジックテープを数箇所に設けてなる頭部覆材と、フックと、折畳んだ部品を含め全ての収納を可能とした収納バックとの組合せとしたものである。
【０００５】  作用について、
折畳んでいた各部品を収納バックより取り出しそれぞれ広げ平面な設置場所に下枠を置きフックにて下枠を地面に固定し、支柱を伸ばし補強パイプを接続部に設けて折り曲がらないよう補強してから下枠と上枠に挿入又は螺旋合等にて組合わせて枠体を組み立てる。
このように枠体を組み立ててから二枚の覆材を通気窓が対応し側部が重なり合うようにマジックベルトを上枠の適箇所にそれぞれ巻き付けて吊設し、更にマジック付ゴムベルトを引張り下枠に巻き付けて覆材にて枠体を覆う。
【０００６】  この時雨などが降らず天候が良い場合には、この状態で覆地側面を開いて中に入り、覆地側面に設けているマジックテープを互いに密着させ完全な筒状としてから更衣等を行なう。  若し天候が悪くなりそうな場合には、頭部フレームを起こしてその上に頭部覆材を被せマジックテープを上枠に巻き付け前述と同じ要領にて使用する。
使用が終ると、前述の逆の手順にて解体しそれぞれの部品を折畳んで収納バックに収納し車等に載置して持ち帰る。
【考案の効果】
【０００７】  上述の如く本考案は、収納バックに収納しているため持運びが容易で車等への載置もスペースをとらずに出来、而も組立が簡単で誰にでも行なえると共に狭い場所での設置が可能であるなどオールシーズン用として使用することが出来る等多くの特長があり実用上非常に優れた考案である。
【考案を実施するための最良の形態】
【０００８】  折畳み或はスライド等にて伸縮可能とし接続部に補強パイプを挿嵌補強した支柱を、フック穴を穿設し折畳み可能とした円環からなる下枠と頭部フレームを回動可能に設けた上枠に挿入又は螺合或は支持にて組合わせてなる枠体と、防水を施し下枠の外周の二分の一より僅かに幅を広くした長方形の覆地の上部に通気網にて覆った通気窓を設け、長手方向の両側面の異なる側にマジックテープを、又上端数箇所にマジックベルトを、更に下端数箇所にマジック付きゴムベルトを設けてなる覆材と、防水を施し円形中央を凸状とした覆地の下端に、マジックテープを数箇所に設けてなる頭部覆材と、フックと、折畳んだ部品を含め全ての収納を可能とした収納バックとの組合せとしたものである。
【実施例】
【０００９】  以下本考案の一実施例を図面について説明する。
図中１は枠体全体を示し、２はパイプからなり円形で折畳み可能とした下枠であって、半円で一箇所又は二箇所に挿入穴３ａ・４ａを、更にフック５挿入用のフック穴３ｂ・４ｂを挿入穴３ａ・４ａと一致しないようずらして二箇所に穿設した枠部３・４の両端を接続部３ｃ・４ｃとし、接続板６にて接続部３ｃ・４ｃを回動可能に連結しして下枠２を形成している。
７はパイプからなり円形で折畳み可能とした上枠であって、半円の枠部８・９の両端を接続部８ａ・９ａとし、接続板６にて接続部８ａ・９ａを回動可能に連結しして上枠７を形成している。【００１０】  １０は湾曲状の頭部枠であって、両端を接続部１０ａとし前記上枠７の接続板６に接続部１０ａが内側となるよう折畳み可能に設けている。
１１は中央を分割し分割端部を接続部１１ａとして接続板６にて折畳み可能とした支柱であって、補強パイプ１２を接続部１１ａの箇所に挿入して補強し、下端に挿入穴３ａ・４ａに挿入するノックピン１３を突設し、上端に支持穴１４ａを穿設する埋金１４を設け、前記下枠２の挿入穴３ａ・４ａにノックピン１３を挿入して直立設置している。
１５は上枠７の受体であって、断面がＵ字で円弧の受材１６下方に受ピン１７を突設し、前記埋金１４の支持穴１４ａに挿入し受材１６にて上枠７を支持し枠体１を形成している。【００１１】  １８は覆材全体を示し、１９は、防水を施し下枠２の円周の長さの二分の一よりも僅小幅を広くした長方形の覆地であって、上部に切抜穴を穿設しそこに通気網を設けて通気窓２０とし、マジックテープ２１を長手方向の両側面に異なる側の四箇所に設け、上端四箇所にマジックベルト２２を、下端四箇所にマジック付ゴムベルト２３をそれぞれ設けて覆材１８を形成している。
２４は防水を施した頭部覆材であって、円形で中央を凸状とした覆地２５の下端にマジックテープ２６を八箇所に設けている。
２７は収納バックであって、下枠２・上枠７・支柱１１・覆材１８・頭部覆材２４を折畳んでの収納を可能としている。【００１２】  使用に当っては、収納バック２７より折畳んでいた各部品を取り出しそれぞれ広げて置き、先ず平面な設置場所に下枠２を置いてフック穴３ｂ・４ｂにフック５を差し込んで下枠２を地面に固定する。
そして支柱１１を伸ばし補強パイプ１２を接続部１１ａに設けて折り曲がらないよう補強してからノックピン１３を挿入穴３ａ・４ａに挿入し支柱１１を下枠２上に直立設置する。  更に受ピン１７を埋金１４の支持穴１４ａに挿入して受体１５を支柱１１上部に設け、受材１６に上枠７を載置して枠体１を組み立てる。
このように枠体１を組み立ててから二枚の覆材１８を通気窓２０が対応し側部が重なり合うようにマジックベルト２２を上枠７の八箇所にそれぞれ巻き付けて吊設し、更にマジック付ゴムベルト２３を引張り下枠２に巻き付けて覆材１８にて枠体１を覆う。【００１３】  この時雨などが降らず天候が良い場合には、この状態で覆地１９側面を開いて中に入り、覆地１９側面に設けているマジックテープ２１を互いに密着させ完全な筒状としてから更衣等を行なう。
若し天候が悪くなりそうな場合には、頭部フレーム１０を起こしてその上に被せマジックテープ２６を上枠７に巻き付け前述と同じ要領にて使用する。
使用が終ると、前述の逆の手順にて解体しそれぞれの部品を折畳んで収納バック２７に収納し車などに載置して持ち帰る。
【産業上の利用可能性】
【００１４】  施設がない場所でのスポーツ或はその他の屋外のレジャーを楽しむ時の更衣やトイレルームとして利用する。
【図面の簡単な説明】
【００１５】
【図１】実施例の正面図
【図２】実施例の左側面図
【図３】実施例の下枠の平面図
【図４】実施例の覆材取付前の平面図
【図５】実施例の上枠接続部付近の部分正面図
【図６】実施例の上枠接続部付近の部分平面図
【図７】図５のＡ−Ａ断面図
【図８】実施例の覆材取付部分断面図
【図９】実施例の下枠接続部付近の部分正面図
【図１０】実施例の下枠接続部付近の部分平面図
【図１１】実施例の支柱の一部を破断した正面図
【図１２】実施例の受体の正面図
【図１３】実施例の受体の平面図
【図１４】実施例の受体の左側面図
【図１５】実施例の収納バックの正面図
【符号の説明】
【００１６】  １    枠体
２    下枠
３ｂ  フック穴
３ｃ  接続部
４ｂ  フック穴
４ｃ  接続部
５    フック
６    接続板
７    上枠
８ａ  接続部
９ａ  接続部
１０    頭部フレーム
１０ａ  接続部
１１    支柱
１１ａ  接続部
１２    補強パイプ
１５    受体
１８    覆材
１９    覆地
２０    通気窓
２０ａ  通気網
２１    マジックテープ
２２    マジックベルト
２３    マジック付ゴムベルト
２４    頭部覆材
２５    覆地
２６    マジックテープ
２７    収納バック
【図１】
0003103572.tif 000003
【図２】
0003103572.tif 000004
【図３】
0003103572.tif 000005
【図４】
0003103572.tif 000006
【図５】
0003103572.tif 000007
【図６】
0003103572.tif 000008
【図７】
0003103572.tif 000009
【図８】
0003103572.tif 000010
【図９】
0003103572.tif 000011
【図１０】
0003103572.tif 000012
【図１１】
0003103572.tif 000013
【図１２】
0003103572.tif 000014
【図１３】
0003103572.tif 000015
【図１４】
0003103572.tif 000016
【図１５】
0003103572.tif 000017